(57)【要約】  【課題】便器と便座装置との間の清掃中、便座装置が前方に傾いたとき、手が便器と便座装置との間に挟まれる危惧がないようすること。  【解決手段】前方側及び後方側に夫々座面部３３及びボックス部３１を備え、前記ボックス部３１が便器１０のリム面１１の後部に立設されたブラケット２０にピン３２により軸支されるようにし且つ前記ボックス部３１が前記ピン３２を支点として起立回動されたときに前記ボックス部３１と前記便器１０との間に所定の空間Ｇが画成されるようにした便座装置３０において、前記ボックス部３１の後壁３１Ｒと底面３１Ｂとの間に傾斜面３１Ｓを形成した。【選択図】  図３
2007330682.tif 000002
【特許請求の範囲】
【請求項１】
前方側に座面部を、後方側にボックス部を備え、前記ボックス部が便器のリム面の後部に立設されたブラケットにピンにより軸支されるようにし且つ前記ボックス部が前記ピンを支点として起立回動されたときに前記ボックス部と前記便器との間に所定の空間が画成されるようにした便座装置において、前記ボックス部の後壁と底面との間に傾斜面が形成したことを特徴とする、便座装置。
【請求項２】
後方側が便器のリム面の後部に立設されたブラケットにピンにより軸支されて閉成位置と開成位置との間を回動可能とされた便座装置において、前記閉成位置から前記開成位置への変移過程で、前記後方側と前記リム面との間に形成される空隙は、前方に向かって、順次拡開するようにしてなる、便座装置。
【発明の詳細な説明】
【技術分野】
【０００１】
本発明は、便座装置に関し、特に便器に対して起立回動する便座装置に関する。
【背景技術】
【０００２】
便器特許文献１に開示の便座装置は、起立回動されたときに、便器との間に所定の空間が画成されるようになっている。これにより、便器と便座装置との間の清掃が可能になり、これにより、便座装置と便器との間における飛散尿の堆積及びこれに伴う異臭発生を防止できる。
【特許文献１】登録実用新案第３１０６８１８号公報
【発明の開示】
【発明が解決しようとする課題】
【０００３】
特許文献１に開示された便座装置は、確かに、上記したように実用上多大な効果を奏するが、便座装置の後壁と底面との間が、丸みを帯びているとはいえ、略９０度のエッジ形状になっているので、便器と便座装置との間の清掃中に便座装置が前方に傾いたとき、手が便器とエッジの間に挟まれる危惧があり、このため、清掃時には、清掃に用いない手で便座装置を保持せねばならず、実用的とは言い難い。
【０００４】
それ故に、本発明は、便器と便座装置との間の清掃中に便座装置が前方に傾いたとき、手が便器と便座装置との間に挟まれる危惧がないようすることを、その技術的課題とする。
【課題を解決するための手段】
【０００５】
上記の課題を解決するために講じた第１の技術的手段は、請求項１に記載のように、
「前方側に座面部を、後方側にボックス部を備え、前記ボックス部が便器のリム面の後部に立設されたブラケットにピンにより軸支されるようにし且つ前記ボックス部が前記ピンを支点として起立回動されたときに前記ボックス部と前記便器との間に所定の空間が画成されるようにした便座装置において、前記ボックス部の後壁と底面との間に傾斜面が形成したことを特徴とする、便座装置。」
を構成したことである。
【０００６】
上記の課題を解決するために講じた第２の技術的手段は、請求項２に記載のように、
「後方側が便器のリム面の後部に立設されたブラケットにピンにより軸支されて閉成位置と開成位置との間を回動可能とされた便座装置において、前記閉成位置から前記開成位置への変移過程で、前記後方側と前記リム面との間に形成される空隙は、前方に向かって、順次拡開するようにしてなる、便座装置。」
を構成したことである。
【発明の効果】
【０００７】
便器と便座装置との間の清掃中に便座装置が前方に傾いた場合であっても、便座装置のボックス部の後壁と底面との間には傾斜面が形成されているので、便器側に下降する便座装置が清掃する人の身体に当ったとき、この傾斜面が便座装置と便器との間の空間を維持して、挟みこみが惹起されることがない。
【発明を実施するための最良の形態】
【０００８】
以下、本発明の便座装置を具体化した一実施の形態を、図面を参照して詳細に説明する。
【０００９】
図１において、トイレ空間の床面（図示略）上に固定された便器１０のリム面１１の後部には、一対のブラケット２０（一方のみ図示）が固定される。各ブラケット２０は、上方の所定量だけ突出する。しかして、一対のブラケット２０は、便器１０の幅方向に所定の間隔をおいて、設置される。
【００１０】
便器１０の幅方向にブラケット２０の上端部（先端部）の近傍には、便座装置３０のボックス部３１がピン３２により軸支されている。ボックス部３１には、前方に延在する座面部３３が一体的に形成されている。図１に示す状態にあるとき、つまり便座装置３０が、使用位置（閉成位置）にあるとき、座面部３３には使用者が着座できるようになっている。しかして、ボックス部３１の内部には、周知の温水洗浄装置（図示略）が収納されており、所定の操作により、ノズル（図示略）の先端部から噴射された温水が使用者の局部を洗浄するようになっている。
【００１１】
尚、図１に示すように、便座装置３０が、使用位置（閉成位置）にあるとき、ボックス部３１の底面部３１Ｂと便器１０のリム面１１との間には、殆ど隙間が形成しないようになっている。ボックス部３1の後壁３１Ｒと底面部３１Ｂとの間には傾斜面３１Ｓが形成されている。しかして、便座装置３０が、使用位置（閉成位置）にあるとき、ボックス部３１の傾斜面３１Ｓは、後方に拡開しているが、後述するように、便座装置３０の座面部３３が便器１０のリム面１１に対して所定の角度（約３５度）をなすときは、ボックス部３１の傾斜面３１Ｓは、空隙Ｇを介して、便器１０のリム面１１と略平行をなす（図３）。そして、便座装置３０が起立位置ないしは不使用位置（開成位置）に変移されたときには、ボックス部３１の傾斜面３１Ｓは、前方に拡開する（図２）。
【００１２】
図１の状態で便座装置３０の座面部３３の先端部（前端部）を手で持ち上げると、便座装置３０の座面部３３及びボックス部３１は、ピン３２を支点として回動起立され、図２に示されるように、周知の態様（例えば、図示されないロータンクへの傾止）で、起立位置ないしは不使用位置（開成位置）に保持される。かように便座装置３０が起立位置ないしは不使用位置（開成位置）に変移されるのは、主として、男性の小用時若しくは便器１０のリム面１１の清掃時である。しかして、便座装置３０が起立位置ないしは不使用位置（開成位置）に変移されたときに、便座装置３０のボックス部３１の後壁３１２と便器１０のリム面１１との間には所定の高さの空隙Ｇが形成され、この空隙Ｇに手を入れることにより、便器１０のリム面１１及びボックス部３１汚れの払拭その他の清掃がなされる。尚、便座装置３０のボックス部３１と便器１０のリム面１１との間の空隙Ｇの形成は、便器１０のリム面１１からのピン３２の高さ及びピン３２が枢着されボックス部３１の位置により決定される。また、便座装置３０が起立位置ないしは不使用位置（開成位置）にあるときは、図２に示すところから明らかなように、便座装置３０のボックス部３１の後壁３１Ｒと便器１０のリム面１１とは、略平行となっている。
【００１３】
上に述べたように、便座装置３０が起立位置ないしは不使用位置（開成位置）に変移されたときに、便座装置３０のボックス部３１の後壁３１２と便器１０のリム面１１との間には所定の高さの空隙Ｇが形成され、この空隙Ｇに手を入れることにより、便器１０のリム面１１及びボックス部３１汚れの払拭その他の清掃がなされる。しかして、この清掃の最中、何らかの理由で、便座装置３０が下降して、使用位置（閉成位置）に変移する可能性があるが、清掃は、便器１０の前方に位置する人が後方向に手を伸ばして、便座装置３０のボックス部３１の後壁３１Ｒと便器１０のリム面１１との間には所定の高さの空隙Ｇに手を入れることによりなされる。従って、便座装置３０の下降は、途中で（使用位置ないしは閉成位置に復帰する前に）、清掃する人の身体に当って、静止する。このとき、図３に示されるように、便座装置３０の座面部は便器１０のリム面１１に対して約３５度の角度を形成すると共に、ボックス部３１の後壁３１Ｒと底面３１１との間に形成された傾斜面３１Ｓは、便器１０のリム面１１との間の空隙Gを維持するので、清掃する者の手が便座装置３０と便器１０のリム面１１との間に挟まれることはない。
【００１４】
上記した実施形態例に係る便座装置１０は、回動起立されて使用位置（閉成位置）から起立位置ないしは不使用位置（開成位置）に変移する過程において、後部（つまりボックス部３１）と便器１０のリム面１１との間に形成される空隙Gは、起立角度が所定に達した後、次第に、前方に向かって拡開する。逆に言えば、便座装置１０が不使用位置（開成位置）から使用位置（閉成位置）に回動下降する過程において、後部（つまりボックス部３１）と便器１０のリム面１１とがなす角度が所定に達した時点で清掃する人の身体に当った場合、爾後の回動下降が阻止されると共に便器１０のリム面１１との間に形成される空隙Gが維持され、清掃する者の手が便座装置３０と便器１０のリム面１１との間に挟まれることはない。
【図面の簡単な説明】
【００１５】
【図１】本発明の一実施の形態に係る便座装置が使用位置（閉成位置）にあるときの側面図である。
【図２】図１の便座装置が不使用位置（開成位置）にあるときの側面図である。
【図３】図１のベッド装置の、長手方向に沿う内部構造を説明する図である。
【符号の説明】
【００１６】
１０：便器
１１：リム面
２０：ブラケット
３０：便座装置
３１：ボックス部
３２：ピン
３３：座面部
G  ：空隙
【図１】
2007330682.tif 000003
【図２】
2007330682.tif 000004
【図３】
2007330682.tif 000005